(57)【要約】【課題】より効率的に免震建屋を構築することを可能にする免震建屋の構築方法を提供する。【解決手段】免震基礎１のマット部３、４は、少なくとも鉄筋と型枠を一体に組み合わせてプレファブ化されたマットユニット５、６と、マットユニット５、６を埋設するように打設されたコンクリート９、１０とを備えて構成されている。そして、下方のマット部３の下部マットユニット６を所定位置に設置する下部マットユニット設置工程と、免震装置２を下部マットユニット６上に設置する免震装置設置工程と、免震装置２上の所定位置に上方のマット部４の上部マットユニット５を設置する上部マットユニット設置工程と、上方のマット部４と下方のマット部３に同時に、あるいは上方のマット部４、下方のマット部３の順にコンクリート９、１０を打設するコンクリート打設工程とによって免震基礎１を構築する。【選択図】図１
2011122327.tif 000002
【特許請求の範囲】
【請求項１】
免震装置を挟んで上下にマット部を設けてなる免震基礎を備えた免震建屋を構築する方法であって、
前記マット部は、少なくとも鉄筋と型枠を一体に組み合わせてプレファブ化されたマットユニットと、該マットユニットを埋設するように打設されるコンクリートとを備えて構成され、
下方のマット部の下部マットユニットを所定位置に設置する下部マットユニット設置工程と、
前記免震装置を前記下部マットユニット上に設置する免震装置設置工程と、
前記免震装置上の所定位置に上方のマット部の上部マットユニットを設置する上部マットユニット設置工程と、
前記上方のマット部と前記下方のマット部に同時に、あるいは前記上方のマット部、前記下方のマット部の順にコンクリートを打設するコンクリート打設工程とを備えていることを特徴とする免震建屋の構築方法。
【発明の詳細な説明】
【技術分野】
【０００１】
本発明は、免震建屋の構築方法に関し、特にプレファブ工法を用いて構築する免震建屋の構築方法に関する。
【背景技術】
【０００２】
例えば原子力発電所等の大規模施設（建屋）を構築する際には、基礎のマット部の鉄筋、鉄骨などを予め一体に組み合わせてプレファブ化して製作しておき、この大型ブロックのマットユニットをクレーンで吊り込むなどして所定位置に設置するとともにコンクリートを打設して、基礎のマット部を構築する方法が用いられている（例えば、特許文献１参照）。このようなプレファブ工法を採用することで、作業環境及び作業効率の向上、ひいては工期短縮、施工コストの低減を図ることが可能になる。
【０００３】
一方、この種の建屋の基礎を免震基礎として構築する場合（免震建屋を構築する場合）には、従来、下方のマットユニットを設置するとともにコンクリートを打設して下方のマット部を構築した後、この下方のマット部上に積層ゴムなどの免震装置を設置し、さらに免震装置の上に上方のマットユニットを設置するとともにコンクリートを打設して上方のマット部を構築するようにしている。すなわち、免震装置（免震層）を挟んで上下のマット部を一段毎に構築するようにしている。
【先行技術文献】
【特許文献】
【０００４】
【特許文献１】特開平８−３１３６７４号公報
【発明の概要】
【発明が解決しようとする課題】
【０００５】
しかしながら、上記のように免震層を挟んでマット部を上下２重に設置して免震建屋を構築する場合には、作業効率が低下し、工期が長期化する。このため、より効率的に免震建屋を構築する手法が強く望まれていた。
【０００６】
本発明は、上記事情に鑑み、より効率的に免震建屋を構築することを可能にする免震建屋の構築方法を提供することを目的とする。
【課題を解決するための手段】
【０００７】
上記の目的を達するために、この発明は以下の手段を提供している。
【０００８】
本発明の免震建屋の構築方法は、免震装置を挟んで上下にマット部を設けてなる免震基礎を備えた免震建屋を構築する方法であって、前記マット部は、少なくとも鉄筋と型枠を一体に組み合わせてプレファブ化されたマットユニットと、該マットユニットを埋設するように打設されるコンクリートとを備えて構成され、下方のマット部の下部マットユニットを所定位置に設置する下部マットユニット設置工程と、前記免震装置を前記下部マットユニット上に設置する免震装置設置工程と、前記免震装置上の所定位置に上方のマット部の上部マットユニットを設置する上部マットユニット設置工程と、前記上方のマット部と前記下方のマット部に同時に、あるいは前記上方のマット部、前記下方のマット部の順にコンクリートを打設するコンクリート打設工程とを備えていることを特徴とする。
【発明の効果】
【０００９】
本発明の免震建屋の構築方法においては、少なくとも鉄筋と型枠を予め一体に組み合わせてプレファブ化してマット部のマットユニットを製作し、コンクリートを上方のマット部と下方のマット部に同時に、あるいは上方のマット部、下方のマット部の順に打設することによって、免震装置を挟んで上下にマット部を備える免震基礎を構築することができ、配筋及びコンクリート打設の期間を大幅に短縮することができる。
【００１０】
よって、従来の免震建屋の構築方法と比較し、より効率的に免震建屋を構築することができ、工期短縮、施工コストの低減を図ることが可能になる。
【図面の簡単な説明】
【００１１】
【図１】本発明の一実施形態に係る免震建屋（免震基礎）を示す図である。
【図２】本発明の一実施形態に係る免震建屋の構築方法において、下方のマット部のマットユニットを設置している状態を示す図である。
【図３】本発明の一実施形態に係る免震建屋の構築方法において、下方のマット部の複数のマットユニットを設置した状態を示す図である。
【図４】本発明の一実施形態に係る免震建屋の構築方法において、免震装置を設置した状態を示す図である。
【図５】本発明の一実施形態に係る免震建屋の構築方法において、上方のマット部のマットユニットを設置している状態を示す図である。
【図６】本発明の一実施形態に係る免震建屋の構築方法において、上方のマット部の複数のマットユニットを設置した状態を示す図である。
【図７】本発明の一実施形態に係る免震建屋の構築方法において、コンクリートを打設して上下のマット部を構築した状態を示す図である。
【発明を実施するための形態】
【００１２】
以下、図１から図７を参照し、本発明の一実施形態に係る免震建屋の構築方法について説明する。ここで、本実施形態は、プレファブ工法を用い、例えば原子力発電所等の建屋（免震建屋）の免震基礎を構築する方法に関するものである。
【００１３】
本実施形態の免震建屋の基礎（免震基礎）１は、図１に示すように、積層ゴムなどの免震装置（免震層）２を挟んで上下にマット部３、４を設けて構成されている。また、上下のマット部３、４はそれぞれ、鉄筋、鉄骨などを予め一体に組み合わせてプレファブ化した複数の大型ブロックのマットユニット５、６を並設し、これらマットユニット５、６を一体にしたマットモジュール７、８をコンクリート９、１０で埋設して形成されている。
【００１４】
そして、本実施形態の免震建屋の構築方法では、はじめに、例えば建築現場近傍のヤード等でプレファブ化したマットユニット５、６を製作する。このとき、各マットユニット５、６は、鉄筋、鉄骨などとともに型枠１１、１２を予め一体に組み合わせて製作しておく。また、本実施形態において、上方のマット部４のマットユニット（上部マットユニット）５は、所定位置に配設された鉄骨柱５ａを下方に突出させ、この鉄骨柱５ａの下端に免震装置２を繋ぐための取付部５ｂを設けて製作される。一方、下方のマット部３のマットユニット（下部マットユニット）６は、所定位置に配設された鉄骨柱６ａを上方に突出させ、この鉄骨柱６ａの上端に免震装置２を載置して繋ぐための取付部（載置台）６ｂを設けて製作される。
【００１５】
次に、図２及び図３に示すように、下方のマット部３の下部マットユニット６をクレーンで吊り込むなどして所定位置に設置し、複数の下部マットユニット６を並設するとともに一体に繋げて下方のマット部３の下部マットモジュール８を形成する（下部マットユニット設置工程）。
【００１６】
次に、図４に示すように、下部マットユニット６の鉄骨柱６ａの取付部６ｂに免震装置２を載置して取り付ける（免震装置設置工程）。
【００１７】
次に、図５及び図６に示すように、上方のマット部４の上部マットユニット５をクレーンで吊り込むなどして所定位置に設置し、複数の上部マットユニット５を並設するとともに一体に繋げて上方のマット部４の上部マットモジュール７を形成する（上部マットユニット設置工程）。このとき、上部マットユニット５の鉄骨柱５ａの取付部５ｂが下部マットユニット６の鉄骨柱６ａの取付部６ｂに設置した免震装置２上に配設されるように、すなわち、免震装置２が上下一対のマットユニット５、６の鉄骨柱５ａ、６ａの取付部５ｂ、６ｂ同士の間に挟み込まれるように、上部マットユニット５を免震装置２上に設置する。また、このように上部マットユニット５を設置するとともに、上部マットユニット５の取付部５ｂと免震装置２とを接続する。なお、この段階で、免震装置２と上部マットモジュール７、免震装置２と下部マットモジュール８の間に、突出した鉄骨柱５ａ、６ａをコンクリート９、１０で埋設するための型枠を取り付け、また、上方のマット部４の上部マットモジュール７上に柱１３を形成するための型枠を取り付けるなどする。
【００１８】
次に、上方と下方のマット部３、４のマットモジュール７、８にはそれぞれ、予め型枠１１、１２が取り付けられているため、図７に示すように、上部マットユニット５を設置するとともに、コンクリート９、１０を上方のマット部４と下方のマット部３に同時に、あるいは上方のマット部４、下方のマット部３の順に打設する（コンクリート打設工程）。
【００１９】
そして、このように打設したコンクリート９、１０が硬化した後に型枠１１、１２を脱型することにより、上下のマット部３、４（免震基礎１）の施工が完了し、順次上部構造体を構築してゆくことにより、免震建屋の施工が完了する。
【００２０】
したがって、本実施形態の免震建屋の構築方法においては、少なくとも鉄筋と型枠１１、１２を予め一体に組み合わせてプレファブ化してマット部３、４のマットユニット５、６を製作し、コンクリート９、１０を上方のマット部４と下方のマット部３に同時に、あるいは上方のマット部４、下方のマット部３の順に打設することによって、免震装置２を挟んで上下にマット部３、４を備える免震基礎１を構築することができ、配筋及びコンクリート打設の期間を大幅に短縮することができる。
【００２１】
よって、本実施形態の免震建屋の構築方法によれば、従来の免震建屋の構築方法と比較し、より効率的に免震建屋を構築することができ、工期短縮、施工コストの低減を図ることが可能になる。
【００２２】
以上、本発明に係る免震建屋の構築方法の一実施形態について説明したが、本発明は上記の一実施形態に限定されるものではなく、その趣旨を逸脱しない範囲で適宜変更可能である。例えば、本実施形態では、下方のマット部３の下部マットユニット６を設置した後に免震装置２を設置するものとしたが、予め下部マットユニット６に免震装置２を取り付けておいてもよい。
【符号の説明】
【００２３】
１      免震基礎
２      免震装置
３      下方のマット部
４      上方のマット部
５      上部マットユニット
５ａ    鉄骨柱
５ｂ    取付部
６      下部マットユニット
６ａ    鉄骨柱
６ｂ    取付部
７      上部マットモジュール
８      下部マットモジュール
９      コンクリート
１０    コンクリート
１１    型枠
１２    型枠
１３    柱
【図１】
2011122327.tif 000003
【図２】
2011122327.tif 000004
【図３】
2011122327.tif 000005
【図４】
2011122327.tif 000006
【図５】
2011122327.tif 000007
【図６】
2011122327.tif 000008
【図７】
2011122327.tif 000009